(57)【要約】  【課題】  ジャック端子カバーをＴＶ画面のクリーニング用のクリーナーとして使用できて、ＴＶ使用時に不要になるジャック端子カバーを有効活用でき、モータ等の別部材を使用することがなくてコストダウンを図ることができ、構造を簡単化することができる。【解決手段】  テレビジョン受像機１のリアキャビネット２に取り付けられるジャック端子カバー３にクリーナー用布４が貼り付けられ、フロントキャビネット５に、ＴＶ画面６の上下に水平向きに突出したレール７が設けられ、ジャック端子カバーの上下部分にレールに嵌める溝部８ａを有するフック８が設けられ、ジャック端子カバーをリアキャビネットから外し、ジャック端子カバーの上下部分のフックの溝部をフロントキャビネットのＴＶ画面の上下部分のレールに嵌めてジャック端子カバーを左右に移動させて、ＴＶ画面をジャック端子カバーに貼り付けられたクリーナー用布でクリーニングするように構成した。【選択図】  図１
2008182503.tif 000002
【特許請求の範囲】
【請求項１】
テレビジョン受像機のリアキャビネットに取り付けられているジャック端子カバーにクリーナー用部材が貼り付けられ、このジャック端子カバーをフロントキャビネットの前面で移動させることにより、ＴＶ画面を前記クリーナー用部材でクリーニングするようにしたテレビジョン受像機のＴＶ画面のクリーニング構造であって、前記フロントキャビネットには、前記ＴＶ画面の上下に水平向きに突出したレールが設けられ、前記ジャック端子カバーには、その上下部分に前記レールに嵌める溝部を有するフックが設けられており、前記リアキャビネットの裏面側には、前記ジャック端子カバーの３方の壁に設けられた係止用溝に着脱可能に係入係止される突起が設けられていて、前記ジャック端子カバーを前記リアキャビネットから外した状態で、前記ジャック端子カバーの上下部分のフックの溝部を前記フロントキャビネットの前記ＴＶ画面の上下部分の前記レールに嵌めて前記ジャック端子カバーを左右に移動させることにより、前記ＴＶ画面を前記ジャック端子カバーに貼り付けられたクリーナー用部材でクリーニングするように構成したことを特徴とするテレビジョン受像機のＴＶ画面のクリーニング構造。
【請求項２】
テレビジョン受像機のリアキャビネットに取り付けられているジャック端子カバーにクリーナー用部材が貼り付けられ、このジャック端子カバーをフロントキャビネットの前面で移動させることにより、ＴＶ画面を前記クリーナー用部材でクリーニングするようにしたテレビジョン受像機のＴＶ画面のクリーニング構造であって、フロントキャビネットには、前記ＴＶ画面の上下にガイド部材が設けられ、前記ジャック端子カバーには、その上下部分に前記ガイド部材に対応した形状のフックが設けられ、前記ジャック端子カバーを前記リアキャビネットから外した状態で、前記ジャック端子カバーの上下部分のフックを前記フロントキャビネットの前記ＴＶ画面の上下の前記ガイド部材に嵌め合わせて前記ジャック端子カバーを左右に移動させることにより、前記ＴＶ画面を前記ジャック端子カバーに貼り付けられたクリーナー用部材でクリーニングするように構成したことを特徴とするテレビジョン受像機のＴＶ画面のクリーニング構造。
【請求項３】
前記ガイド部材が前記フロントキャビネットのＴＶ画面の上下に突出されたレールからなり、前記ジャック端子カバーの上下部分のフックには、前記レールに移動可能に嵌められる溝部が形成されている請求項２に記載のテレビジョン受像機のＴＶ画面のクリーニング構造。
【請求項４】
前記クリーナー用部材が、クリーナー用布からなる請求項２又は３に記載のテレビジョン受像機のＴＶ画面のクリーニング構造。
【請求項５】
前記クリーナー用部材がスポンジからなる請求項２又は３に記載のテレビジョン受像機のＴＶ画面のクリーニング構造。
【請求項６】
前記クリーナー用部材の縦幅が前記ＴＶ画面の縦幅とほぼ同一の寸法である請求項２乃至５のいずれかに記載のテレビジョン受像機のＴＶ画面のクリーニング構造。
【発明の詳細な説明】
【技術分野】
【０００１】
本発明は、テレビジョン受像機のリアキャビネットに取り付けられているジャック端子カバーにクリーナー用部材が貼り付けられ、このジャック端子カバーをフロントキャビネットの前面で移動させることにより、ＴＶ画面を前記クリーナー用部材でクリーニングするようにしたテレビジョン受像機のＴＶ画面のクリーニング構造に関するものである。
【背景技術】
【０００２】
第１の従来技術を図３（ａ）（ｂ）に示す。この従来のテレビ映像等を表示するプラズマディスプレイ装置は、ＰＤＰ１０２の表示面１０２ａの前に左右から開閉する電動シャッタ１０３を取り付けて、表示面１０２ａを破損等から保護する。電動シャッタ１０３の開閉端１０３ａの裏側には、ＰＤＰ１０２の表示面１０２ａを清掃する刷毛１０４を設ける。ＰＤＰ１０２の表示用の電源の入り切りと連動して、表示用の電源が切りのときは、電動シャッタ１０３を閉じ、入りで開くようにしておくと、ＰＤＰ１０２に映像を表示していないときは電動シャッタ１０３が閉じて、ＰＤＰ１０２の表示面１０２ａを保護するとともに、開閉により刷毛１０４がＰＤＰ１０２の表示面の塵埃を払うようになり、自動的にＰＤＰ１０２の表示面１０２ａが清掃されるようになる。（例えば、特許文献１参照）。
【０００３】
ところが、これにおいては、電動シャッタ１０３の開閉にモータ６、６を使用していたために、コスト高になり、構造が複雑になるという問題があった。
【特許文献１】特開平１０−１７４０２２号公報
【発明の開示】
【発明が解決しようとする課題】
【０００４】
本発明は、上記従来の問題に鑑みてなされたものであって、液晶テレビジョン受像機のリアキャビネットに取り付けられているジャック端子カバーをＴＶ画面をクリーニングするためのクリーナーとして使用することができて、ＴＶ使用時に不要になってしまうジャック端子カバーを有効活用することができ、モータ等の別部材を使用することがなくてコストダウンを図ることができ、構造を簡単化することができるテレビジョン受像機のＴＶ画面のクリーニング構造を提供することを目的としている。
【課題を解決するための手段】
【０００５】
本発明は、上記課題を解決するために提案されたものであって、請求項１に記載の発明は、テレビジョン受像機のリアキャビネットに取り付けられているジャック端子カバーにクリーナー用部材が貼り付けられ、このジャック端子カバーをフロントキャビネットの前面で移動させることにより、ＴＶ画面を前記クリーナー用部材でクリーニングするようにしたテレビジョン受像機のＴＶ画面のクリーニング構造であって、前記フロントキャビネットには、前記ＴＶ画面の上下に水平向きに突出したレールが設けられ、前記ジャック端子カバーには、その上下部分に前記レールに嵌める溝部を有するフックが設けられており、前記リアキャビネットの裏面側には、前記ジャック端子カバーの３方の壁に設けられた係止用溝に着脱可能に係入係止される突起が設けられていて、前記ジャック端子カバーを前記リアキャビネットから外した状態で、前記ジャック端子カバーの上下部分のフックの溝部を前記フロントキャビネットの前記ＴＶ画面の上下部分の前記レールに嵌めて前記ジャック端子カバーを左右に移動させることにより、前記ＴＶ画面を前記ジャック端子カバーに貼り付けられたクリーナー用部材でクリーニングするように構成したことを特徴としている。
【０００６】
請求項２に記載の発明は、テレビジョン受像機のリアキャビネットに取り付けられているジャック端子カバーにクリーナー用部材が貼り付けられ、このジャック端子カバーをフロントキャビネットの前面で移動させることにより、ＴＶ画面を前記クリーナー用部材でクリーニングするようにしたテレビジョン受像機のＴＶ画面のクリーニング構造であって、フロントキャビネットには、前記ＴＶ画面の上下にガイド部材が設けられ、前記ジャック端子カバーには、その上下部分に前記ガイド部材に対応した形状のフックが設けられ、前記ジャック端子カバーを前記リアキャビネットから外した状態で、前記ジャック端子カバーの上下部分のフックを前記フロントキャビネットの前記ＴＶ画面の上下の前記ガイド部材に嵌め合わせて前記ジャック端子カバーを左右に移動させることにより、前記ＴＶ画面を前記ジャック端子カバーに貼り付けられたクリーナー用部材でクリーニングするように構成したことを特徴としている。
【０００７】
請求項３に記載の発明は、請求項２に記載の発明において、前記ガイド部材が前記フロントキャビネットのＴＶ画面の上下に突出されたレールからなり、前記ジャック端子カバーの上下部分のフックには、前記レールに移動可能に嵌められる溝部が形成されている。
【０００８】
請求項４に記載の発明は、請求項２又は３に記載の発明において、前記クリーナー用部材が、クリーナー用布からなるものである。
【０００９】
請求項５に記載の発明は、請求項２又は３に記載の発明において、前記クリーナー用部材がスポンジからなるものである。
【００１０】
請求項６に記載の発明は、請求項２乃至５のいずれかに記載の発明において、前記クリーナー用部材の縦幅が前記ＴＶ画面の縦幅とほぼ同一の寸法である。
【発明の効果】
【００１１】
請求項１に記載の発明によれば、テレビジョン受像機のＴＶ画面をクリーニングするために、リアキャビネットのジャックを覆うためのジャック端子カバーに貼り付けられたクリーナー用部材を用いているから、モータ等の駆動源を必要とせずにコストダウンを図れ、ＴＶ使用時に不要になってしまうジャック端子カバーを有効活用することができる。更に、ＴＶ使用時には、ジャック端子カバーをリアキャビネットに取り付けてジャックを覆うことができるとともにリアキャビネットの裏面側からの外観を左右対称形状とすることができて見栄えを良くすることができる。また、フロントキャビネットのＴＶ画面の上下に水平向きに設けられたレールに、ジャック端子カバーの上下部分に設けたフックの溝部を嵌めて左右に移動することにより、ＴＶ画面をクリーニングすることができるから、ＴＶ画面のクリーニングを簡単に行える。更に、ジャック端子カバーに貼り付けられたクリーナー用部材でＴＶ画面をクリーニングするから、ＴＶ画面を綺麗にクリーニングすることができる。更に、ジャック端子カバーを着脱可能にリアキャビネットに取り付ける構造として、ジャック端子カバーの３方の壁に係止用溝を設け、この係止用溝に着脱可能に係入係止する突起をリアキャビネットに設けたから、リアキャビネットからジャック端子カバーを簡単に取り外してクリーナーとして使用することができると共にＴＶ画面を使用しない場合には、このジャック端子カバーをリアキャビネットの裏面に簡単に取り付けておくことができる。
【００１２】
請求項２に記載の発明によれば、テレビジョン受像機のＴＶ画面をクリーニングするために、リアキャビネットのジャックを覆うためのジャック端子カバーにクリーナー用部材を用いているから、モータ等の駆動源を必要とせずにコストダウンを図れ、コストダウンを図ることができる。更に、ＴＶ使用時には、ジャック端子カバーをリアキャビネットに取り付けてジャックを覆うことができるとともにリアキャビネットの裏面側からの外観を左右対称形状とすることができて見栄えを良くすることができる。また、フロントキャビネットのＴＶ画面の上下に設けられたガイド部材に、ジャック端子カバーの上下部分に設けたフックを嵌め合わせて左右に移動することにより、ＴＶ画面をクリーニングすることができるから、ＴＶ画面のクリーニングを簡単に行える。更に、ジャック端子カバーに貼り付けられたクリーナー用部材でＴＶ画面をクリーニングするから、ＴＶ画面を綺麗にクリーニングすることができる。
【００１３】
請求項３に記載の発明によれば、ガイド部材がフロントキャビネットのＴＶ画面の上下に突出したレールからなり、ジャック端子カバーの上下部分のフックにレールに移動可能に嵌められる溝部が形成されているから、構造を簡単化することができると共にジャック端子カバーを左右に移動しやすくてクリーニング作業を正確且つ簡単に行うことができる。
【００１４】
請求項４に記載の発明によれば、クリーナー用部材がクリーナー用布からなるものであるから、このクリーナー用布でＴＶ画面を傷つけることなく綺麗にクリーニングすることができる。また、クリーナー用布が安価なものであるから、コストダウンを図ることができる。
【００１５】
請求項５に記載の発明によれば、クリーナー用部材がスポンジからなるものであるから、このスポンジは弾力性を有していることにより、ＴＶ画面にスポンジを押し付けてＴＶ画面を余すことなく綺麗にクリーニングすることができる。
【００１６】
請求項６に記載の発明によれば、クリーナー用部材の縦幅がＴＶ画面の縦幅とほぼ同一の寸法であるから、クリーナー用部材が貼られたジャック端子カバーの左右への移動を行いやすく、ＴＶ画面だけを余すことなく綺麗にクリーニングすることができる。
【発明を実施するための最良の形態】
【００１７】
以下、本発明に係るテレビジョン受像機のＴＶ画面のクリーニング構造の実施の形態について、図を参照しつつ説明する。
【００１８】
図１は本実施形態のテレビジョン受像機のＴＶ画面のクリーニング構造を示し、（ａ）はそのジャック端子カバーを取り付けたリアキャビネット側から見たテレビジョン受像機の裏面図、（ｂ）はそのジャック端子カバーを移動可能に配置したフロントキャビネット側から見たテレビジョン受像機の正面図、（ｃ）はそのフロントキャビネットに設けたレールとこのレールに嵌まるフックを設けたジャック端子カバーの部分斜視図、（ｄ）はそのジャック端子カバーの斜視図、図２（ａ）はリアキャビネットにジャック端子カバーを取り付けた状態のテレビジョン受像機の平面図、（ｂ）はリアキャビネットからジャック端子カバーを取り外した状態のテレビジョン受像機の裏面図である。
【００１９】
本実施形態のテレビジョン受像機のＴＶ画面のクリーニング構造は、図１（ａ）に示すように、テレビジョン受像機１のリアキャビネット２の裏面に取り付けられているジャック端子カバー３を後述するように着脱可能とし、このジャック端子カバー３の表面の一方側にクリーナー用部材であるクリーナー用布４が貼り付けられている。また、図１（ｂ）（ｃ）に示すように、フロントキャビネット５のＴＶ画面６の上下には水平向きに突出したレール７、７が設けられ、ジャック端子カバー３の上下部分には、レール７、７に嵌まる溝部８ａ、８ａを有するフック８、８が設けられている。更に、ジャック端子カバー３の３方の壁には、リアキャビネット２の裏面の３方に設けられた後述する突起２ａ、２ａ、２ａが係入係止する係止用溝３ａ、３ａ、３ａが形成されている。
【００２０】
図２（ａ）に示すように、ジャック端子カバー３は通常はリアキャビネット２の裏面に取り付けられており、この状態で図２（ｂ）に明示するリアキャビネット２の３方に設けた突起２ａ、２ａ、２ａがジャック端子カバー３の３方の壁の係止用溝３ａ、３ａ、３ａに係入係止された状態で着脱自在に取り付けられている。図１（ｂ）に示すように、ジャック端子カバー３をリアキャビネット２から取り外した状態で、フロントキャビネット５のＴＶ画面６の上下のレール７、７にジャック端子カバー３の上下のフック８、８の溝部８ａ、８ａを嵌めて、左右に移動することにより、ＴＶ画面６がジャック端子カバー３に貼り付けられたクリーナー用布４でクリーニングされるようになっている。尚、このクリーナー用布３の縦幅は、ＴＶ画面６の縦幅とほぼ同一寸法とされている。また、図２（ａ）（ｂ）に示すように、フロントキャビネットの裏側の内部には、基板９が配置され、この基板９の端部に複数のジャック１０が取り付けられ、このジャック１０は、ジャック端子カバー３を取り外した状態で外側に露出した状態となる。
【００２１】
従って、本実施形態によれば、テレビジョン受像機１のＴＶ画面６をクリーニングするために、リアキャビネット２のジャック１０を覆うためのジャック端子カバー３に貼り付けられたクリーナー用布４を用いているから、モータ等の駆動源を必要とせずにコストダウンを図れ、ＴＶ使用時に不要になってしまうジャック端子カバー３を有効活用することができる。更に、ＴＶ使用時には、ジャック端子カバー３をリアキャビネット２に取り付けてジャック１０を覆うことができるとともにリアキャビネット２の裏面側からの外観を左右対称形状とすることができて見栄えを良くすることができる。また、フロントキャビネット５のＴＶ画面６の上下に水平向きに設けられたレール７、７に、ジャック端子カバー３の上下部分に設けたフック８、８の溝部８ａ、８ａを嵌めて左右に移動することにより、ＴＶ画面６をクリーニングすることができるから、ＴＶ画面６のクリーニングを簡単に行える。
【００２２】
更に、ジャック端子カバー３に貼り付けられたクリーナー用布４でＴＶ画面６をクリーニングするから、ＴＶ画面６を綺麗にクリーニングすることができる。更に、ジャック端子カバー３を着脱可能にリアキャビネット２に取り付ける構造として、ジャック端子カバー３の３方の壁に係止用溝３ａを設け、この係止用溝３ａに着脱可能に係入係止する突起２ａをリアキャビネット２に設けたから、リアキャビネット２からジャック端子カバー３を簡単に取り外してクリーナーとして使用することができると共にＴＶ画面６を使用しない場合には、このジャック端子カバー３をリアキャビネット２の裏面に簡単に取り付けておくことができる。また、クリーナー用部材がクリーナー用布４からなるものであるから、このクリーナー用布４でＴＶ画面６を傷つけることなく綺麗にクリーニングすることができる。また、クリーナー用布４が安価なものであるから、コストダウンを図ることができる。更に、クリーナー用布４の縦幅がＴＶ画面６の縦幅とほぼ同一の寸法であるから、クリーナー用布４が貼られたジャック端子カバー３の左右への移動を行いやすく、ＴＶ画面６だけを余すことなく綺麗にクリーニングすることができる。
【００２３】
尚、上記実施形態では、クリーナー用部材としてクリーナー用布４について説明したが、これに限らず、例えばスポンジ等の他の部材でもよいことは勿論である。クリーナー用部材としてスポンジを用いると、スポンジは弾力性を有していることにより、ＴＶ画面６にスポンジを押し付けてＴＶ画面６を余すことなく綺麗にクリーニングすることができる利点がある。
【図面の簡単な説明】
【００２４】
【図１】本実施形態のテレビジョン受像機のＴＶ画面のクリーニング構造を示し、（ａ）はそのジャック端子カバーを取り付けたリアキャビネット側から見たテレビジョン受像機の裏面図、（ｂ）はそのジャック端子カバーを移動可能に配置したフロントキャビネット側から見たテレビジョン受像機の正面図、（ｃ）はそのフロントキャビネットに設けたレールとこのレールに嵌まるフックを設けたジャック端子カバーの部分斜視図、（ｄ）はそのジャック端子カバーの斜視図である。
【図２】（ａ）はリアキャビネットにジャック端子カバーを取り付けた状態のテレビジョン受像機の平面図、（ｂ）はリアキャビネットからジャック端子カバーを取り外した状態のテレビジョン受像機の裏面図である。
【図３】従来のプラズマディスプレイ装置を示し、（ａ）はその内部構造を示す平面図、（ｂ）はその内部構造を示す正面図である。
【符号の説明】
【００２５】
１        テレビジョン受像機
２        リアキャビネット
２ａ      突起
３        ジャック端子カバー
３ａ      係止用溝
４        クリーナー用布
５        フロントキャビネット
６        ＴＶ画面
７        レール
８        フック
８ａ      溝部
９        基板
１０      ジャック
【図１】
2008182503.tif 000003
【図２】
2008182503.tif 000004
【図３】
2008182503.tif 000005